(57)【要約】【課題】装着位置のずれを防止すること。【解決手段】弾性体の耳掛けアーム１０５に、本装置使用時に耳掛けアーム１０５におけるイヤホン本体１０１の取付け位置より上側にてユーザの耳殻付け根３０１上部に当接する上側補助アーム１０６と、耳掛けアーム１０５におけるイヤホン本体１０１の取付け位置より下側にてユーザの耳殻付け根３０１下部に当接下側補助アーム１０７とを一体成形で設ける。これにより、本装置使用時に、上側補助アーム１０６と下側補助アーム１０７とが耳殻付け根３０１を上下方向から挟むように支持することになり、装着位置のずれを防止することができる。【選択図】図３
2010193344.tif 000002
【特許請求の範囲】
【請求項１】
イヤホン本体が設けられたイヤホンベースと、
上記イヤホンベースに取付けられ、本装置使用時にユーザの耳に掛けられる耳掛けアームと、
上記耳掛けアームから延出し、本装置使用時に上記耳掛けアームにおける上記イヤホン本体の取付け位置より上側にてユーザの耳に当接する上側補助アームと、
上記耳掛けアームから延出し、本装置使用時に上記耳掛けアームにおける上記イヤホン本体の取付け位置より下側にてユーザの耳に当接する下側補助アームと、
を有する耳掛け式イヤホン装置。
【請求項２】
請求項１記載の耳掛け式イヤホン装置において、
上記上側補助アームは、一端が上記耳掛けアームに支持された固定端であり、他端が開放端であり、
上記下側補助アームは、両端が上記耳掛けアームに支持された固定端である、イヤホン装置。
【請求項３】
請求項２記載の耳掛け式イヤホン装置において、
上記上側補助アームの上記開放端は、上記耳掛けアームにおける上記イヤホンベースの取付け側になるように、
上記上側補助アームの上記固定端は、上記耳掛けアームにおける上記イヤホンベースの取付け側と対向する側に固定される、イヤホン装置。
【請求項４】
請求項２または請求項３に記載の耳掛け式イヤホン装置において、
上記下側補助アームは、Ｓ字形状に湾曲している、イヤホン装置。
【請求項５】
請求項１〜請求項４いずれか一の請求項に記載の耳掛け式イヤホン装置において、
上記上側補助アームおよび上記下側補助アームは、上記耳掛けアームと一体成形されている、耳掛け式イヤホン装置。
【請求項６】
請求項１〜請求項５いずれか一の請求項に記載の耳掛け式イヤホン装置において、
上記上側補助アームおよび上記下側補助アームにおける耳殻付け根当接面と、上記耳掛けアームにおける耳殻付け根当接面とは、面一に形成されている、耳掛け式イヤホン装置。
【請求項７】
請求項１〜請求項６いずれか一の請求項に記載の耳掛け式イヤホン装置において、
上記上側補助アームおよび上記下側補助アームの切断断面積は、上記耳掛けアームの切断断面積より小さい、耳掛け式イヤホン装置。
【請求項８】
請求項１〜請求項７いずれか一の請求項に記載の耳掛け式イヤホン装置において、
上記耳掛けアームは、上記イヤホンベースに対し着脱自在に取付けられている、耳掛け式イヤホン装置。
【請求項９】
請求項８記載の耳掛け式イヤホン装置において、
上記イヤホンベースには、上記耳掛けアームが着脱自在に取付けつけられるように、上記イヤホンベースの上下に一対の受入れ溝が形成されており、
上記耳掛けアームには、上記イヤホンベース上下の上記受入れ溝にそれぞれ挿入される上下一対の挿入片を有しており、
上記イヤホンベース上下の上記受入れ溝と、上記耳掛けアームの上下一対の挿入片とは、それぞれ上下で幅が異なっており、
上記イヤホンベースに対し上記耳掛けアームが上下逆に挿入されることを防止する、耳掛け式イヤホン装置。
【請求項１０】
請求項８記載の耳掛け式イヤホン装置において、
上記イヤホンベースには、上記耳掛けアームが着脱自在に取付けつけられるように、上記イヤホンベースの上下に一対の受入れ溝が形成されており、
上記耳掛けアームには、上記イヤホンベース上下の上記受入れ溝にそれぞれ挿入される上下一対の挿入片を有しており、
上記耳掛けアームの上下一対の挿入片先端にはそれぞれ凹部または凸部が形成されている一方、
上記イヤホンベース上下の上記受入れ溝には、上記凹部または凸部に嵌る凸部または凹部が形成されており、
上記耳掛けアームの上下一対の挿入片が上記イヤホンベース上下の上記受入れ溝にそれぞれ挿入された際に、上記耳掛けアームの上下一対の挿入片の上記凹部または凸部に、上記イヤホンベース上下の上記受入れ溝の上記凸部または凹部が嵌る、耳掛け式イヤホン装置。
【請求項１１】
請求項１〜請求項１０いずれか一の請求項に記載の耳掛け式イヤホン装置において、
上記耳掛けアームは、上記イヤホンベースの後端より突出するように形成されている、耳掛け式イヤホン装置。
【請求項１２】
請求項１〜請求項１１いずれか一の請求項に記載の耳掛け式イヤホン装置において、
さらに、
上記イヤホンベースにマイクアームを介して取付けられたマイクロホンと、
を有する耳掛け式イヤホン装置。
【請求項１３】
イヤホン本体が設けられたイヤホンベースに取付けられ、本装置使用時にユーザの耳に掛けられるイヤホン装置用耳掛けアームであって、
上記耳掛けアームから延出し、本装置使用時に上記耳掛けアームにおける上記イヤホン本体の取付け位置より上側にてユーザの耳に当接する上側補助アームと、
上記耳掛けアームから延出し、本装置使用時に上記耳掛けアームにおける上記イヤホン本体の取付け位置より下側にてユーザの耳に当接する下側補助アームと、
を有するイヤホン装置用耳掛けアーム。
【発明の詳細な説明】
【技術分野】
【０００１】
本発明は、耳掛け式イヤホン装置、イヤホン装置用耳掛けアームに関する。
【背景技術】
【０００２】
耳掛け式イヤホン装置またはイヤホン装置用耳掛けアームとして、例えば、以下の特許文献１〜４等に示すものがある（例えば、特許文献１〜４参照）。
【先行技術文献】
【特許文献】
【０００３】
【特許文献１】特開２００３−１１１１８０号公報
【特許文献２】特開２００２−３４０８９号公報
【特許文献３】特開２００６−９４００６号公報
【特許文献４】実公平７−４６９９７号公報
【発明の概要】
【発明が解決しようとする課題】
【０００４】
しかし、上記特許文献１〜４に記載された従来の耳掛け式イヤホン装置では、単に、耳掛けアームが本装置使用者の耳に単に掛けられて装着されるか、耳掛けアームに設けられたハンガー部等により本装置使用者の耳に単に掛けられて装着されるため、装着位置がずれ易い、という課題がある。
【０００５】
特に、耳掛け式イヤホン装置に、マイクアームを介してマイクロホンを設けた場合には、耳掛けアームのみにより支持されているので、装着位置がずれ易かった。
【０００６】
そこで、本発明は、装着位置のずれを防止することができる耳掛け式イヤホン装置、イヤホン装置用耳掛けアームを提供することを目的とする。
【課題を解決するための手段】
【０００７】
本発明は、上述した従来の技術の課題を解決するため、イヤホン本体が設けられたイヤホンベースと、上記イヤホンベースに取付けられ、本装置使用時にユーザの耳に掛けられる耳掛けアームと、上記耳掛けアームから延出し、本装置使用時に上記耳掛けアームにおける上記イヤホン本体の取付け位置より上側にてユーザの耳に当接する上側補助アームと、上記耳掛けアームから延出し、本装置使用時に上記耳掛けアームにおける上記イヤホン本体の取付け位置より下側にてユーザの耳に当接する下側補助アームと、を有する耳掛け式イヤホン装置である。
ここで、上記上側補助アームは、一端が上記耳掛けアームに支持された固定端であり、他端が開放端であり、上記下側補助アームは、両端が上記耳掛けアームに支持された固定端である、イヤホン装置にしても良い。
また、上記上側補助アームの上記開放端は、上記耳掛けアームにおける上記イヤホンベースの取付け側になるように、上記上側補助アームの上記固定端は、上記耳掛けアームにおける上記イヤホンベースの取付け側と対向する側に固定される、イヤホン装置にしても良い。
また、上記下側補助アームは、Ｓ字形状に湾曲している、イヤホン装置にしても良い。
また、上記上側補助アームおよび上記下側補助アームは、上記耳掛けアームと一体成形されている、耳掛け式イヤホン装置にしても良い。
また、上記上側補助アームおよび上記下側補助アームにおける耳殻付け根当接面と、上記耳掛けアームにおける耳殻付け根当接面とは、面一に形成されている、耳掛け式イヤホン装置にしても良い。
また、上記上側補助アームおよび上記下側補助アームの切断断面積は、上記耳掛けアームの切断断面積より小さい、耳掛け式イヤホン装置にしても良い。
また、上記耳掛けアームは、上記イヤホンベースに対し着脱自在に取付けられている、耳掛け式イヤホン装置にしても良い。
また、上記イヤホンベースには、上記耳掛けアームが着脱自在に取付けつけられるように、上記イヤホンベースの上下に一対の受入れ溝が形成されており、上記耳掛けアームには、上記イヤホンベース上下の上記受入れ溝にそれぞれ挿入される上下一対の挿入片を有しており、上記イヤホンベース上下の上記受入れ溝と、上記耳掛けアームの上下一対の挿入片とは、それぞれ上下で幅が異なっており、上記イヤホンベースに対し上記耳掛けアームが上下逆に挿入されることを防止する、耳掛け式イヤホン装置にしても良い。
また、上記イヤホンベースには、上記耳掛けアームが着脱自在に取付けつけられるように、上記イヤホンベースの上下に一対の受入れ溝が形成されており、上記耳掛けアームには、上記イヤホンベース上下の上記受入れ溝にそれぞれ挿入される上下一対の挿入片を有しており、上記耳掛けアームの上下一対の挿入片先端にはそれぞれ凹部または凸部が形成されている一方、上記イヤホンベース上下の上記受入れ溝には、上記凹部または凸部に嵌る凸部または凹部が形成されており、上記耳掛けアームの上下一対の挿入片が上記イヤホンベース上下の上記受入れ溝にそれぞれ挿入された際に、上記耳掛けアームの上下一対の挿入片の上記凹部または凸部に、上記イヤホンベース上下の上記受入れ溝の上記凸部または凹部が嵌る、耳掛け式イヤホン装置にしても良い。
また、上記耳掛けアームは、上記イヤホンベースの後端より突出するように形成されている、耳掛け式イヤホン装置にしても良い。
また、さらに、上記イヤホンベースにマイクアームを介して取付けられたマイクロホンと、を有する耳掛け式イヤホン装置にしても良い。
また、別の発明は、イヤホン本体が設けられたイヤホンベースに取付けられ、本装置使用時にユーザの耳に掛けられるイヤホン装置用耳掛けアームであって、上記耳掛けアームから延出し、本装置使用時に上記耳掛けアームにおける上記イヤホン本体の取付け位置より上側にてユーザの耳に当接する上側補助アームと、上記耳掛けアームから延出し、本装置使用時に上記耳掛けアームにおける上記イヤホン本体の取付け位置より下側にてユーザの耳に当接する下側補助アームと、を有するイヤホン装置用耳掛けアームである。
【発明の効果】
【０００８】
本発明の耳掛け式イヤホン装置およびイヤホン装置用耳掛けアームは、本装置使用時にユーザの耳に掛けられる耳掛けアームに、その耳掛けアームから延出し、本装置使用時に耳掛けアームにおけるイヤホン本体の取付け位置より上側にてユーザの耳に当接する上側補助アームと、耳掛けアームから延出し、本装置使用時に耳掛けアームにおけるイヤホン本体の取付け位置より下側にてユーザの耳に当接する下側補助アームとを有するので、本装置使用時に、上側補助アームと下側補助アームとが耳殻の付け根を両側から挟むように支持することになり、装着位置のずれを防止することができる。
【図面の簡単な説明】
【０００９】
【図１】本発明の実施形態１のマイク付イヤホン装置の構成の一例を簡単に示す図である。
【図２】実施形態１のマイク付イヤホンを使用者に装着した状態の一例を示す外観図である。
【図３】本発明のマイク付イヤホンの装着状態での耳の近傍を示す外観図である。
【図４】実施形態１のマイク付イヤホン装置の詳細な外観の一例を示す図、図５はその詳細な外観斜視図の一例を示す図である。
【図５】実施形態１のマイク付イヤホン装置の詳細な外観斜視図の一例を示す図である。
【図６】実施形態２における、イヤホンベース１００と、耳掛けアーム１０５との接続の一例を示す斜視図である。
【図７】図６に示す実施形態２の耳掛けアーム１０５の外観の一例を示す図である。
【図８】図７（ｆ）に示す実施形態２の耳掛けアーム１０５の右側面図における丸破線部分IIIの一例を示す拡大図である。
【図９】図７（ｄ）に示す実施形態２の耳掛けアーム１０５の裏面図における丸破線部分IVの一例を示す拡大図である。
【図１０】交換可能な耳掛けアーム１０５Ａ，１０５Ｂを用意した一例を示す図である。
【図１１】実施形態３のマイク付イヤホン装置の構成の一例を簡単に示す図である。
【発明を実施するための形態】
【００１０】
以下、本発明のイヤホン装置の実施形態について、添付図面を参照して説明する。なお、以下に説明する実施形態は、本発明の一実施の形態であり、本発明は、下記の各実施形態のものに限定されるものではない。
【００１１】
（実施形態１）
図１は、本発明の実施形態１のマイク付イヤホン装置の構成の一例を簡単に示す図である。
【００１２】
図１において、１０はマイク付イヤホン装置、１０１はイヤホンベース、１０１はイヤホンベース１００に取付けられるイヤホン本体、１０２はイヤホンベース１００に取付けられ前方に伸びるマイクアーム、１０３はマイクアーム１０２の先端に設けられたマイクロホン、１０４はイヤホン本体１０１およびマイクロホン１０３を電気的に外部に接続するケーブル、１０５は耳掛けアームである。
【００１３】
耳掛けアーム１０５は、使用者の耳殻に掛けられるように耳殻の形状に応じた形状に形成されている。そして本実施形態１の耳掛けアーム１０５には、耳掛けアーム１０５から延出し、本装置使用時に耳掛けアーム１０５におけるイヤホン本体１０１の取付け位置より上側にてユーザの耳殻付け根上部に当接する上側補助アーム１０６と、耳掛けアーム１０５から延出し、本装置使用時に耳掛けアーム１０５におけるイヤホン本体１０１の取付け位置より下側にてユーザの耳殻付け根下部に当接耳掛けアーム１０５の内側（耳殻側）に延出する下側補助アーム１０７と有する。
【００１４】
なお、図１に示すマイク付イヤホン装置１０は、左耳用である。
【００１５】
図２は、実施形態１のマイク付イヤホン装置１０を使用者に装着した状態の一例を示す外観図である。
【００１６】
図２において、２０１はいわゆる耳殻である。図３は、耳掛けアーム１０５が使用者の耳殻２０１に掛けられ、マイクロホン１０２が使用者の口元近辺に配置された状態を示している。
【００１７】
なお、図２では、図上、耳掛けアーム１０５上方の上側補助アーム１０６は耳殻２０１の裏側に隠れ図示していない。また、耳掛けアーム１０５下方の下側補助アーム１０７は耳殻２０１から外側に図示されているが、下側補助アーム１０７が耳殻２０１の裏側に隠れるように形成するようにしても勿論よい。
【００１８】
図３は、実施形態１のマイク付イヤホンを使用者に装着した状態を拡大し、耳殻２０１の裏側を破線により示す一例を示す外観図である。
【００１９】
図３において、破線で示す３０１は、耳殻２０１の付け根（以下、耳殻付け根という。）である。図３に示すように、上側補助アーム１０６が耳殻付け根３０１の上部に当接し、下側補助アーム１０７が耳殻付け根３０１を介しその上部当接位置にほぼ対向する耳殻付け根３０１の下部にて当接する。なお、この図３では、上側補助アーム１０６と下側補助アーム１０７のみが耳殻付け根３０１に当接し、耳掛けアーム１０５の当接面１０５ｃが耳殻付け根３０１に当接していないが、耳掛けアーム１０５の当接面１０５ｃが耳殻付け根３０１に当接するように形成しても勿論よい。
【００２０】
ここで、実施形態１では、耳掛けアーム１０５と、上側補助アーム１０６と、下側補助アーム１０７とは、例えば、エラストマーやゴム等の弾性素材により一体成形されている。そのため、耳掛けアーム１０５と、上側補助アーム１０６と、下側補助アーム１０７とは、どの方向にも、例えば、図上、上下左右方向や表裏方向どの方向にも撓むよことができる。これにより、本装置使用時は、マイクロホン１０３と、耳掛けアーム１０５とによる支持だけでなく、上側補助アーム１０６と、下側補助アーム１０７とにより装着感度の向上および装着ずれを効果的に防止しながらも、簡単な構造で成形することができる。
【００２１】
なお、一体成形はあくまで一例であり、耳掛けアーム１０５と、上側補助アーム１０６と、下側補助アーム１０７とをそれぞれ別々の素材により成形し取付けるようにしても良い。別々に成形する場合、耳掛けアーム１０５と、上側補助アーム１０６と、下側補助アーム１０７とをそれぞれ別々の異なる素材により構成できるので、耳掛けアーム１０５は剛性の高い樹脂製、上側補助アーム１０６と下側補助アーム１０７とは、使用者の耳に直接当たるので、ゴムやエラストマー等の弾性材料により構成するようにしても良い。このようにすれば、強度も高く、かつ、耳に装着したときの装着感の良いマイク付イヤホン装置を構成できる。また上側補助アーム１０６と下側補助アーム１０７とを一体成型あるいは別々に成形し、耳掛けアーム１０５の対応する穴部（図示せず）に差し込むことにより設けるようにしても良い。なお、耳掛けアーム１０５、上側補助アーム１０６、下側補助アーム１０７を、柔軟な材料により中空に成形しても勿論よい。
【００２２】
一方、イヤホンベース１００やイヤホン本体１０１は、耳掛けアーム１０５や、上側補助アーム１０６、下側補助アーム１０７より硬質のＡＢＳ樹脂等により形成されている。なお、イヤホンベース１００等を、耳掛けアーム１０５や、上側補助アーム１０６等と同質のエラストマーやゴム等の弾性素材により成形したり、被覆しても勿論よい。
【００２３】
また、本実施形態１では、図１や図３に示すように、上側補助アーム１０６は、イヤホン本体１０１に近い側の一端は開放端１０６aである一方、イヤホン本体１０１から遠い側の他端は耳掛けアーム１０５に固定された固定端１０６ｂであり、耳殻付け根３０１の形状に沿うよう円弧状に形成されている。
【００２４】
また下側補助アーム１０７は、両端を耳掛けアーム１０５に固定された固定端１０７ａ，１０７ｂにしている。これにより、本装置１０を使用者の耳に掛ける場合、通常は、両端固定の下側補助アーム１０７が固定された耳掛けアーム１０５の開放端１０５ｂを拡げて使用者の耳殻付け根３０１に掛けることになるが、下側補助アーム１０７に開放端等の突出部や先端部がないので、開放端等の突出部や先端部が耳殻付け根３０１に当ったり、引っ掛かること等を防止することができ、装着性を損なうことを防止することができる。
【００２５】
また、後述する図２，図３の使用状態を参照すると明らかであるが、両持ち梁となる両端固定の下側補助アーム１０７が耳柄付け根３０１を下方から支え、より自由度の大きい片持ち梁となる一端固定の上側補助アーム１０６が耳柄付け根３０１を上方から挟むように支持するので、装着感を向上させることが出来ると共に、確実に支持することができる。
【００２６】
また、実施形態１では、上側補助アーム１０６の図上左側の開放端１０６ａは、耳掛けアーム１０５におけるイヤホンベース１００の取付け端１０５ａ側になる一方、上側補助アーム１０６の固定端１０６ｂは、耳掛けアーム１０５におけるイヤホンベース１００の取付け端１０５ａ側と対向する開放端１０５ｂ側に固定されている。これにより、耳掛けアーム１０５を耳殻２０１に掛けた状態でマイクロホン１０３やマイクアーム１０２等に図上、口元の方向に引っ張られる等して、耳掛けアーム１０５の開放端１０５ｂが図上α方向、すなわち耳掛けアーム１０５が広がる方向に撓む場合、上側補助アーム１０６の図上左側の開放端１０６ａは、図上下側の向きに移動するので、より耳殻付け根に強く弾性的に当接することになり、より確実にマイク付イヤホン装置１０を保持することできる。
【００２７】
また、実施形態１では、下側補助アーム１０７は、下側固定端１０７ａに近い方がイヤホン本体１０１側に凸形状に湾曲する一方、上側固定端１０７ｂに近い方がイヤホン本体１０１側に凹形状に湾曲したＳ字形状に湾曲している。これにより、下側補助アーム１０７は、その全体がイヤホン本体１０１側に凸形状に湾曲している場合等と較べ、撓み易くなると共に、耳殻への装着感が向上する。
【００２８】
また、実施形態１では、図３に示すように、上側補助アーム１０６における耳殻付け根３０１への当接面１０６ｃと、下側補助アーム１０７における耳殻付け根へ３０１の当接面１０７ｃと、耳掛けアーム１０５における耳殻付け根３０１への当接面１０５ｃとは、耳殻付け根３０１の形状に沿うように面一に形成、すなわち上側補助アーム１０６の固定端１０６ｂと、下側補助アーム１０７の固定端１０７ｂと、耳掛けアーム１０５における当接面１０５ｃとは段差なく形成されている。これにより、耳掛けアーム１０５を耳殻２０１に掛けた状態では、上側補助アーム１０６および下側補助アーム１０７における耳殻付け根当接面１０６ｃ,１０７ｃと、耳掛けアーム１０５における耳殻付け根当接面が面一で耳殻に当接し、突起部分等が耳殻に当接することはないので、この点でも、耳殻への装着感が向上する。なお、上側補助アーム１０６および下側補助アーム１０７における耳殻への当接面と、耳掛けアーム１０５における耳殻付け根当接面とは、段差があり、面一に形成されていなくても勿論よい。
【００２９】
また、実施形態１では、図１に示すように、I−I線およびII−II線における上側補助アーム１０６および下側補助アーム１０７の切断断面積は、その耳掛けアーム１０５の切断断面積より小さく形成している。そのため、I−I線、II−II線方向、もしくはその方向とは垂直方向の一方向、さらにはI−I線、II−II線方向およびその方向とは垂直方向の両方向において、上側補助アーム１０６および下側補助アーム１０７を、耳掛けアーム１０５の幅より狭く形成している。これにより、例え、同じ弾性素材を使用しても、イヤホンベース１００を支持する耳掛けアーム１０５は上側補助アーム１０６および下側補助アーム１０７より強固に構成できる一方、上側補助アーム１０６および下側補助アーム１０７は、耳掛けアーム１０５より柔らかく構成できるので、この点でも、耳殻への装着感が向上する。なお、上側補助アーム１０６および下側補助アーム１０７の切断断面積と、耳掛けアーム１０５の切断断面積とが同一でも勿論よい。
【００３０】
図４は、本発明の実施形態１のマイク付イヤホン装置の詳細な外観の一例を示す図、図５はその詳細な外観斜視図の一例を示す図である。
【００３１】
図４(ａ）は、実施形態１のマイク付イヤホン装置の詳細上面図、図４（ｂ）はその正面図、図４（ｃ）はその詳細下面図、図４（ｄ）はその詳細裏面図、図４（e）はその詳細左側面図、図４（ｆ）はその詳細右側面図をそれぞれ示している。なお、図４に示すマイク付イヤホン装置１０は、図１と同様に、左耳用である。
【００３２】
図４では、ケーブル１０４は、途中から省略している。また、図１に示す簡単な構成図とは異なり、図４では、ケーブル１０４をイヤホンベース１００に接続するためのブッシュ１０４ａを図示している。
【００３３】
図４、図５からも明らかなように、上側補助アーム１０６と、下側補助１０７とは、耳掛けアーム１０５より細く成形されており、耳掛けアーム１０５と一体成形したとしても、耳掛けアーム１０５より撓み易くしている。
【００３４】
以上、図１〜図５に図示したように構成された本実施形態１のマイク付イヤホン１０を装着するときは、図２や図３に示すように、耳掛けアーム１０５を耳殻付け根３０１に掛け、イヤホン本体１０１を耳の外耳道に差し込む。すると、図２に示すようにマイクロホン１０３が口元の近傍に来る。
【００３５】
このとき、図３等に示すように、耳殻付け根３０１の上部では上側補助アーム１０６が撓み変形しながら弾性をもって当接する一方、耳殻付け根３０１の下部では下側補助アーム１０７も撓み変形しながら弾性をもって当接して、耳殻付け根３０１を上側補助アーム１０６と下側補助アーム１０７とが上下から弾性をもって挟み支持することになる。
【００３６】
その際、上側補助アーム１０６と下側補助アーム１０７とは、耳掛けアーム１０５よりも細く構成され弾性を持っているので、種々の耳の大きさに合わせ適度に変形して耳殻付け根３０１に接することになるので、耳に対する装着位置を安定させる効果がある。
【００３７】
つまり、上側補助アーム１０６と下側補助アーム１０７とは、弾性を持って耳殻付け根３０１に当接するので、耳の大きさにかかわらず長時間装着しても圧迫感を生じることがない。更に上側補助アーム１０６と下側補助アーム１０７で耳殻付け根を上下から挟み込むように支持するので、装着位置がずれる恐れがない。また、上側補助アーム１０６と下側補助アーム１０７とが耳殻付け根３０１を上下方向からほぼ対向する位置で挟むように支持するので、イヤホン本体１０１を挿入した耳穴に負荷がかからず、耳穴が痛くなることも少ない。
【００３８】
また、本実施形態１では、２つの補助アームのうち上側補助アーム１０６を片持ち梁にして大きく変形させることで様々な耳の大きさに対応し、下側補助アーム１０７はＳ字形状の両持ち梁とすることで、片持ち梁の上側補助アーム１０６より大きな荷重に耐えられるので、この点でも、耳に対する装着位置を安定させる効果がある。
【００３９】
以上説明したように、本実施形態１の耳掛け式イヤホン装置１０では、本装置使用時にユーザの耳に掛けられる耳掛けアーム１０５に、その耳掛けアーム１０５から延出し、本装置使用時に耳掛けアーム１０５におけるイヤホン本体１０１の取付け位置より上側にてユーザの耳殻付け根３０１上部に当接する上側補助アーム１０６と、耳掛けアーム１０５から延出し、本装置使用時に耳掛けアーム１０５におけるイヤホン本体１０１の取付け位置より下側にてユーザの耳殻付け根３０１下部に当接下側補助アーム１０７とを有するので、本装置使用時に、上側補助アーム１０６と下側補助アーム１０７とが耳殻付け根３０１を上下方向から挟むように支持することになり、装着位置のずれをなるべく防止することができる。
【００４０】
その結果、マイク付きのイヤホン装置では、装着位置がずれると、マイクロホン１０３が口元からずれて音声を拾いにくくなることがあるが、本実施形態１のマイク付の耳掛け式イヤホン装置１０では、上側補助アーム１０６と下側補助アーム１０７とにより確実に耳殻付け根３０１を挟持して本装置を支持するので、装着位置のずれを防止することができ、従来より確実に音声を拾いにくくなることを防止することが出来る。なお、本発明では、マイクロホン１０３が設けられてなくても、勿論良く、それでも効果的である。
【００４１】
また、実施形態１では、耳掛けアーム１０５と、上側補助アーム１０６と、下側補助アーム１０７とをエラストマー等の弾性素材により一体成形しているので、上側補助アーム１０６と下側補助アーム１０７とにより装着感度の向上および装着ずれを効果的に防止しながらも、簡単な構造で成形することができる。
【００４２】
また、本実施形態１では、上側補助アーム１０６は、一端が耳掛けアーム１０５に支持された固定端１０６ｂで、他端が開放端１０６ａである一方、下側補助アーム１０７は両端が耳掛けアーム１０５に支持された固定端１０７ａ，１０７ｂにより構成しているので、２つの補助アームのうち一方が片持ちにして大きく変形させることが可能となり、これにより、様々な耳の大きさに対応し、他方は弓状の両持ちとすることで耳に対する位置を安定させる効果がある。
【００４３】
また、実施形態１では、一端開放の上側補助アーム１０６の固定端１０６ｂは、耳掛けアーム１０５におけるイヤホンベース１００の取付け端１０５ａ側１０５ａと対向する側に固定されているので、耳掛けアーム１０５が広がる方向に撓んだ場合、上側補助アーム１０６の開放端１０６ａは、より耳殻付け根に強く弾性的に当接することになり、より効果的に耳殻付け根３０１を保持することができる。
【００４４】
また、実施形態１では、両端固定の下側補助アーム１０７はほぼＳ字形状に湾曲しているので、撓み易くなると共に、耳殻への装着感が向上する。
【００４５】
また、実施形態１では、上側補助アーム１０６および下側補助アーム１０７における耳殻付け根３０１への当接面と、耳掛けアーム１０５における耳殻付け根３０１への当接面１０５ｃとを耳殻付け根３０１の形状に沿うように面一に形成しているので、突起部分等が耳殻に当接することがなく、この点でも、耳殻への装着感が向上する。
【００４６】
また、実施形態１では、上側補助アーム１０６および下側補助アーム１０７の切断断面積は、その耳掛けアーム１０５の切断断面積より小さく形成しているので、例え、同じ弾性素材を使用して一体成形していても、イヤホンベース１００を支持する耳掛けアーム１０５は上側補助アーム１０６および下側補助アーム１０７より強固に構成できる一方、上側補助アーム１０６および下側補助アーム１０７は、耳掛けアーム１０５より柔らかく構成することができ、この点でも、耳殻への装着感が向上する。
【００４７】
また、本装置では、耳掛けアーム１０５と、補助アーム１０６，１０７との２段構造になっているので、仮に、耳掛けアーム１０５内側の補助アーム１０６，１０７が折れたり、取れたりした場合でも、耳掛けアーム１０５により対応することができる。
【００４８】
（実施形態２）
上記実施形態１では、イヤホンベース１００と、イヤホン装置用の耳掛けアーム１０５との接続について説明していなかったが、実施形態２では、イヤホンベース１００と、耳掛けアーム１０５との接続について説明する。
【００４９】
図６は、実施形態２における、イヤホンベース１００と、耳掛けアーム１０５とを着脱可能にした際の一例を示す斜視図である。
【００５０】
図６に示すように、本実施形態２では、イヤホンベース１００と、耳掛けアーム１０５とは、別々に形成され、イヤホンベース１００に耳掛けアーム１０５が着脱自在に取付けられる。なお、実施形態２における耳掛けアーム１０５がイヤホンベース１００に取り付けられると、例えば、実施形態１の図５に示すような状態となる。
【００５１】
そのため、実施形態２のイヤホンベース１００には、耳掛けアーム１０５が着脱自在に取付けつけられるように、イヤホンベース１００の後端１００ｂ、すなわちマイクロホン１０２の取付け端１００ａと対向する側に、上下の一対の受入れ溝である上側受入れ溝１００ｂ１，下側受入れ溝１００ｂ２が形成されている。
【００５２】
一方、実施形態２の耳掛けアーム１０５には、イヤホンベース１００の上下一対の上側受入れ溝１００ｂ１，下側受入れ溝１００ｂ２にそれぞれ挿入される上下一対の挿入片である上側挿入片１０５ａ１，下側挿入片１０５ａ２を設けている。
【００５３】
ここで、本実施形態２では、イヤホンベース１００に耳掛けアーム１０５を装着すると、例えば、実施形態１の図５に示すように、耳掛けアーム１０５の上側挿入片１０５ａ１，下側挿入片１０５ａ２とを繋ぐ連結部１０５ｄが、イヤホンベース１００の後端１００ｂと面一になる。ただし、イヤホンベース１００に耳掛けアーム１０５を装着した際、耳掛けアーム１０５の連結部１０５ｄが、イヤホンベース１００の後端１００ｂと面一にならずに、イヤホンベース１００の後端１００ｂより突出するようにしても良い。耳掛けアーム１０５の連結部１０５ｄがイヤホンベース１００の後端１００ｂより突出するように形成すれば、材質の柔らかい耳掛けアーム１０５の連結部１０５ｄが耳等に接触する機会が増大し、材質の硬いイヤホンベース１００の後端１００ｂが耳に接触する機会が減少するので、この点でも装着感が向上する。なお、実施形態１でも、このように耳掛けアーム１０５の連結部１０５ｄがイヤホンベース１００の後端１００ｂと面一にならずに、イヤホンベース１００の後端１００ｂより突出するようにしても良い。
【００５４】
図７（a）は、実施形態２の耳掛けアーム１０５の上面図、図７（ｂ）はその正面図、図７（ｃ）はその下面図、図７（ｄ）はその裏面図、図７（e）はその左側面図、図７（ｆ）はその右側面図をそれぞれ示している。
【００５５】
なお、図７（a）,（ｃ）,（ｅ）,（ｆ）に示すように、図６および図７に示す実施形態２の耳掛けアーム１０５は、耳に掛けた場合、上側挿入片１０５ａ１，下側挿入片１０５ａ２より、上側補助アーム１０６や下側補助アーム１０７が使用者の顔に近づくように非対称に湾曲して形成されているので、図４等と同様に、左耳用である。
【００５６】
図８は、図７（ｆ）に示す実施形態２の耳掛けアーム１０５の右側面図における丸破線部分IIIの拡大図の一例を示している。
【００５７】
つまり、実施形態２では、図８に示すように、耳掛けアーム１０５上下一対の上側挿入片１０５ａ１，下側挿入片１０５ａ２には、それぞれ幅をＡまたはＢとして変えた凸状案内部１０５ａ１１，１０５ａ２１を設けている。
【００５８】
そのため、本実施形態２では、図６等に示すように、イヤホンベース１００後端１００ｂの上下一対の上側受入れ溝１００ｂ１，下側受入れ溝１００ｂ２側には、それぞれ耳掛けアーム１０５上下一対の上側挿入片１０５ａ１，下側挿入片１０５ａ２それぞれの、幅が異なる凸状案内部１０５ａ１１，１０５ａ２１が丁度嵌まるように、幅の異なる溝が形成されている。
【００５９】
これにより、イヤホンベース１００に対する耳掛けアーム１０５の上下逆の装着、いわゆる逆差しを防止している。つまり、実施形態２の耳掛け式イヤホン装置１０を左右の耳でそれぞれ使用する場合、イヤホンベース１００の上下は逆になるので、耳掛けアーム１０５を左右の耳専用に別に形成した場合、左右の耳専用の耳掛けアーム１０５では上側挿入片１０５ａ１，下側挿入片１０５ａ２のそれぞれの凸状案内部１０５ａ１１，１０５ａ２１の幅の大小が逆になる。そのため、イヤホンベース１００に対する左右の耳専用の耳掛けアーム１０５の上下逆の装着、いわゆる逆差しを防止することができる。なお、イヤホンベース１００後端１００ａ上下一対の上側受入れ溝１００ａ１，下側受入れ溝１００ａ２と、耳掛けアーム１０５上下一対の上側挿入片１０５ａ１，下側挿入片１０５ａ２それぞれの凸状案内部１０５ａ１１，１０５ａ２１とは、それぞれ溝または片の幅を変えず同一で、逆差しを許しても勿論よい。
【００６０】
図９は、図７（ｄ）に示す実施形態２の耳掛けアーム１０５の裏面図における丸破線部分IVの拡大図の一例を示している。
【００６１】
つまり、実施形態２では、図９に示すように、耳掛けアーム１０５上下一対の上側挿入片１０５ａ１，下側挿入片１０５ａ２には、それぞれ凹部１０５ａ１２，１０５ａ２２が形成されている一方、イヤホンベース１００の後端１００ｂの上下の受入れ溝１００ｂ１,１００ｂ２には、図示しないがその凹部１０５ａ１２，１０５ａ２２に嵌る凸部が形成されている。なお、耳掛けアーム１０５上下一対の上側挿入片１０５ａ１，下側挿入片１０５ａ２に凸部が形成される一方、イヤホンベース１００の後端１００ｂの上下の受入れ溝１００ｂ１,１００ｂ２それぞれに凹部１０５ａ１２，１０５ａ２２が形成されていても勿論よいし、凹部１０５ａ１２，１０５ａ２２やそれに嵌る凸部は設けられていなくても勿論よい。
【００６２】
これにより、耳掛けアーム１０５の上下一対の上側挿入片１０５ａ１，下側挿入片１０５ａ２がイヤホンベース１００後端１００ｂの上下の受入れ溝１００ｂ１,１００ｂ２にそれぞれ挿入されると、耳掛けアーム１０５の上側挿入片１０５ａ１，下側挿入片１０５ａ２の凹部１０５ａ１２，１０５ａ２２が、イヤホンベース１００上下の受入れ溝１００ｂ１,１００ｂ２それぞれの凸部に嵌ることにより、イヤホンベース１００に対する耳掛けアーム１０５の脱落を効果的に防止することができる。
【００６３】
従って、本実施形態２によれば、上記実施形態１と同様の効果が得られると共に、耳掛けアーム１０５と、イヤホンベース１００とを別々に構成し、耳掛けアーム１０５をイヤホンベース１００に着脱自在に取付けるようにしたので、耳掛けアーム１０５が破損等した場合や、左右の耳専用の耳掛けアーム１０５を用意した場合でも、容易に耳掛けアーム１０５だけを交換することができる。
【００６４】
図１０は、交換可能な耳掛けアーム１０５Ａ，１０５Ｂを例えば２つ用意した一例を示す図である。
【００６５】
図１０に示すように、実施形態２では、イヤホンベース１００は一台でも、着脱自在な、例えば大小２つの耳掛けアーム１０５Ａ，１０５Ｂを用意して、交換可能にすることもできる。勿論、大中小等の３種以上用意しても勿論よい。また、交換可能な大小の耳専用の耳掛けアーム１０５Ａ，１０５Ｂを用意するだけでなく、交換可能な左右の耳掛けアーム１０５をそれぞれ容易しても良いし、さらには左右それぞれ専用に大小のものを複数用意するようにしても良い。
【００６６】
これにより、大小大きさの異なる、あるいは左右非対称の耳掛けアームを交換可能によるすることにより、イヤホンベース１００は一台でも、男性用と女性用等の耳の大きな人と小さな人とに対応することが可能であり、より装着感を向上させることができる。
【００６７】
また、本実施形態２では、イヤホンベース１００の上側受入れ溝１００ａ１，下側受入れ溝１０５ａ２と、耳掛けアーム１０５の上側挿入片１０５ａ１，下側挿入片１０５ａ２とは、それぞれ上下で溝または片の幅を変えているので、イヤホンベース１００に対する耳掛けアーム１０５の上下逆の装着を防止することができる。
【００６８】
また、本実施形態２では、イヤホンベース１００の上側受入れ溝１００ａ１，下側受入れ溝１０５ａ２と、耳掛けアーム１０５の上側挿入片１０５ａ１，下側挿入片１０５ａ２とに、それらが完全に挿入された場合に、それぞれ嵌り合う凸部および凹部１０５ａ１２，１０５ａ２２を設けているので、イヤホンベース１００に対する耳掛けアーム１０５の脱落を効果的に防止することができる。
【００６９】
また、本実施形態２では、イヤホンベース１００に耳掛けアーム１０５を装着した際、耳掛けアーム１０５の連結部１０５ｄが、イヤホンベース１００の後端１００ｂと面一にならずに、耳掛けアーム１０５の連結部１０５ｄがイヤホンベース１００の後端１００ｂより突出するように形成すれば、材質の柔らかい耳掛けアーム１０５の連結部１０５ｄが耳等に接触する機会が増大し、材質の硬いイヤホンベース１００の後端１００ｂが耳に接触する機会が減少するので、この点でも装着感が向上する。
（実施形態３）
【００７０】
次に、本発明の実施形態３について説明する。上記実施形態１，２では、図１等に示すように、上側補助アーム１０６の固定端１０６ｂが耳掛けアーム１０５の開放端１０５ｂ側に固定され、上側補助アーム１０６の開放端１０６ａが耳掛けアーム１０５のイヤホンベース１００の取付け端１０５ａ側になるように設けて説明したが、本実施形態３では、その逆にしたものである。
【００７１】
図１１は、実施形態３のイヤホン装置の構成の一例を簡単に示す図である。
【００７２】
図１１に示すように、本実施形態３では、図１〜図１０に示す上記実施形態１，２の耳掛けアーム１０５とは異なり、上側補助アーム１０６の固定端１０６ｂが耳掛けアーム１０５のイヤホンベース１００の取付け端１０５ａ側に設けられ、上側補助アーム１０６の開放端１０６ａが耳掛けアーム１０５の開放端側１０５ｂになるように構成している。なお、下側補助アーム１０７も含めその他の構成は、上記実施形態１，２の耳掛けアーム１０５と同様である。
【００７３】
これにより、図１〜図１０に示す上記実施形態１，２の場合と同様に、上側補助アーム１０６が耳殻付け根３０１の上方から確実に弾性をもって当接するので、下側補助アーム１０７による下方からの弾性当接と合わさって、本装置の装着時のずれを確実に防止することが出来る。
【００７４】
また、本実施形態３では、図１〜図１０に示す上記実施形態１，２の場合とは異なり、図１１に示すように、上側補助アーム１０６の開放部１０６ａが、その固定端１０６ｂより、図上鉛直方向で低い位置になるようにしている。
【００７５】
また、本装置を耳殻２０１に掛ける際、通常、耳掛けアーム１０５の開放端側１０５ｂが図上α方向、すなわち耳掛けアーム１０５の開放端側１０５ｂがイヤホンベース１００の取付け端１０５ａから離れる方向に移動する場合、上側補助アーム１０６の開放端１０６ａも、耳掛けアーム１０５のイヤホンベース１００の取付け端１０５ａ側から広がる方向に移動するので、上記実施形態１，２の形態の場合と較べ、装着感がソフトな耳掛けアーム１０５を提供することが出来る。なお、上側補助アーム１０６の開放部１０６ａがその固定端１０６ｂより鉛直方向でほぼ同じ位置でも高い位置になるようにしても勿論よい。
【００７６】
従って、本実施形態３によれば、上記実施形態１，２と同様の効果が得られる共に、上記実施形態１，２の形態のものより、装着感がソフトな耳掛けアーム１０５を提供することが出来る。
【００７７】
なお、上記実施形態１〜３では、上側補助アーム１０６を、図１等に示すように、一端固定の片持ち梁形式により構成し、下側補助アーム１０７を両端固定の両持ち梁形式により構成したが、本発明では、この形態に限定されるものではなく、上側補助アーム１０６を両端固定の両持ち梁形式により構成する一方、下側補助アーム１０７を、一端固定の片持ち梁形式により構成するようにしても良い。
【００７８】
また、上側補助アーム１０６および下側補助アーム１０７の双方を、両端固定の両持ち梁形式により構成しても良いし、あるいは一端固定の片持ち梁形式により構成しても勿論よい。
【００７９】
要は、耳掛けアーム１０５に、本装置使用時に耳掛けアーム１０５におけるイヤホン本体１０１の取付け位置より上側にてユーザの耳殻付け根３０１上部に当接する上側補助アーム１０６と、本装置使用時に耳掛けアーム１０５におけるイヤホン本体１０１の取付け位置より下側にてユーザの耳殻付け根３０１下部に当接下側補助アーム１０７とを設け、本装置使用時に、上側補助アーム１０６と下側補助アーム１０７とが耳殻付け根３０１を上下等の両側から挟むように支持するものであれば良い。
【００８０】
このように上記実施形態１〜３の上側補助アーム１０６および下側補助アーム１０７の形態を変更した場合でも、上側補助アーム１０６および下側補助アーム１０７は、弾性をもって耳殻付け根３０１に当接するので、耳への装着感はそれほど損なわれることはなく、また、従来のイヤホン装置の場合より、装置位置がずれることを防止することが出来る。
【００８１】
また、上記実施形態１〜３では、マイクアーム１０２を介したマイクロホン１０３付きのイヤホン装置により説明したが、本発明では、これに限る必要はなく、マイクアーム１０２を介したマイクロホン１０３を省略したイヤホン装置にも適用可能である。
【符号の説明】
【００８２】
１０    耳掛け式イヤホン装置
１００  イヤホンベース
１０１  イヤホン本体
１０２  マイクアーム
１０３  マイクロホン
１０４  ケーブル
１０５  耳掛けアーム
１０６  上側補助アーム
１０７  下側補助アーム
２０１  耳殻
３０１  耳殻付け根
【図１】
2010193344.tif 000003
【図２】
2010193344.tif 000004
【図３】
2010193344.tif 000005
【図４】
2010193344.tif 000006
【図５】
2010193344.tif 000007
【図６】
2010193344.tif 000008
【図７】
2010193344.tif 000009
【図８】
2010193344.tif 000010
【図９】
2010193344.tif 000011
【図１０】
2010193344.tif 000012
【図１１】
2010193344.tif 000013